(57)【要約】【課題】複数のループパイル部を有し、且つ設計の自由度が高くて製造が容易なブラシ及び電気掃除機用の回転ブラシ装置を提供する。【解決手段】ブラシ３２は、基材４０上に毛羽部４１を立設することで形成されている。毛羽部４１は、糸を複数のループ４２が連続して形成されるように帯状に編んでなるループパイル部４３を複数並列に一体形成してなっている。各ループパイル部４３のうち、基材４０に取着されるものは取着ループパイル部４４とされるとともに、ブラシとして機能するものは機能ループパイル部４５とされている。そして、各ループパイル部４３を構成するそれぞれの糸は互いに独立している。【選択図】図６
2010051711.tif 000002
【特許請求の範囲】
【請求項１】
基材上に毛羽部を設けてなるブラシにおいて、
前記毛羽部は糸を複数のループが連続して形成されるように帯状に編んでなるループパイル部を複数並列に一体形成してなり、
前記各ループパイル部のうち、前記基材に取着されるものは取着ループパイル部とされるとともに、ブラシとして機能するものは機能ループパイル部とされ、
前記各ループパイル部を構成するそれぞれの糸は互いに独立していることを特徴とするブラシ。
【請求項２】
前記毛羽部は、前記各ループパイル部の並列方向における前記取着ループパイル部の両側に少なくとも１つずつの機能ループパイル部が配置されるとともに、前記取着ループパイル部が前記並列方向と交差する方向に沿って折り曲げられた状態で前記基材上に取着されていることを特徴とする請求項１に記載のブラシ。
【請求項３】
前記取着ループパイル部と前記機能ループパイル部とは材質が異なることを特徴とする請求項１または請求項２に記載のブラシ。
【請求項４】
前記基材と前記取着ループパイル部とが同じ種類の合成樹脂材料で構成されていることを特徴とする請求項１〜請求項３のうちいずれか一項に記載のブラシ。
【請求項５】
床面上の塵埃を吸い込むためのヘッド内に回転可能に収容された回転体と、該回転体に取着されるブラシとを備え、前記ヘッドが床面上を移動する際に、前記回転体を回転させながら前記ブラシを床面に接触させるように構成された電気掃除機用の回転ブラシ装置であって、
前記ブラシは、請求項１〜請求項４のうちいずれか一項に記載のブラシによって構成されていることを特徴とする電気掃除機用の回転ブラシ装置。
【発明の詳細な説明】
【技術分野】
【０００１】
本発明は、電気掃除機の本体部にホースを介して接続されたヘッド内に配設され、絨毯、畳、フローリング等の床面から塵埃を掻き上げるための電気掃除機用の回転ブラシ装置及び該回転ブラシ装置に用いられるブラシに関する。
【背景技術】
【０００２】
一般に、電気掃除機は本体部と該本体部にホースを介して接続されたヘッドとを備えている。そして、このヘッドを絨毯、フローリング、畳等の床面上で移動させ、該ヘッドの底面に設けられた吸込口からエアを吸引することにより、本体部内に塵埃が吸い込まれるように構成されている。ところで、近年では、例えば絨毯等のようにエアの吸引だけでは塵埃を吸い込みにくい床面に対する集塵能力を向上させるため、ヘッド内に回転ブラシを設けたものが数多く見られるようになってきた（例えば、特許文献１）。
【０００３】
特許文献１の回転ロータ（回転ブラシ装置）は、掃除機用床ノズル（ヘッド）内に回転可能に収容されるとともに長手方向に沿って螺旋状に延びる複数の溝部を有するロータ（回転体）と、該ロータの各溝部にそれぞれ取着された清掃体（ブラシ）からなっている。この清掃体は、平帯体と、略中央で折り曲げられた平帯体の下端部に挿入された芯線と、該芯線と共に平帯体の下端部を挟持する金属製の帯状体（基材）とから構成され、該帯状体をロータの溝部の一方の端部から挿入することでロータに取り付けられるようになっている。
【０００４】
また、平帯体は、糸を、両端にループ状部（機能ループパイル部）を形成しながら平帯状に織り、両ループ状部間に支柱部（取着ループパイル部）を残すように、両ループ状部と支柱部との境界部分をそれぞれ綴じ糸で長手方向に沿って縫うことで形成される。
【特許文献１】特開２００７−５７８号公報
【発明の開示】
【発明が解決しようとする課題】
【０００５】
ところで、特許文献１の回転ロータの清掃体は、その製造にあたり、平帯体にループ状部を形成するべく最終的に縫製を行う必要がある上、いわゆるチャンネルブラシ形態であるため、平帯体を帯状体に挟み込む必要もある。このため、清掃体の製造が困難、ひいては回転ロータの製造が困難になってしまうという問題があった。
【０００６】
加えて、平帯体は、織物からなるため、ループ状部同士間、あるいはループ状部と支柱部との間で材質や大きさ等を異ならせることが困難であった。この結果、清掃体の設計の自由度の低下、ひいては回転ロータの設計の自由度の低下を招いてしまうという問題があった。
【０００７】
本発明は、このような課題に着目してなされたものである。その目的とするところは、複数のループパイル部を有し、且つ設計の自由度が高くて製造が容易なブラシ及び電気掃除機用の回転ブラシ装置を提供することにある。
【課題を解決するための手段】
【０００８】
上記の目的を達成するために、請求項１に記載の発明は、基材上に毛羽部を設けてなるブラシにおいて、前記毛羽部は糸を複数のループが連続して形成されるように帯状に編んでなるループパイル部を複数並列に一体形成してなり、前記各ループパイル部のうち、前記基材に取着されるものは取着ループパイル部とされるとともに、ブラシとして機能するものは機能ループパイル部とされ、前記各ループパイル部を構成するそれぞれの糸は互いに独立していることを要旨とする。
【０００９】
上記構成によれば、毛羽部が糸を複数のループが連続して形成されるように帯状に編んでなるループパイル部を複数並列に一体形成してなるため、縫製を行うことなく毛羽部を構成する各ループパイル部を形成することが可能となる。加えて、毛羽部を構成している各ループパイル部を構成するそれぞれの糸は互いに独立しているため、各ループパイル部間で材質や大きさ等を自由に異ならせることが可能となる。したがって、複数のループパイル部を有するブラシを、設計の自由度を高めつつ容易に製造することが可能となる。
【００１０】
請求項２に記載の発明は、請求項１に記載の発明において、前記毛羽部は、前記各ループパイル部の並列方向における前記取着ループパイル部の両側に少なくとも１つずつの機能ループパイル部が配置されるとともに、前記取着ループパイル部が前記並列方向と交差する方向に沿って折り曲げられた状態で前記基材上に取着されていることを要旨とする。
【００１１】
上記構成によれば、少なくとも２つの機能ループパイル部をブラシとして同時に機能させることが可能となる。
請求項３に記載の発明は、請求項１または請求項２に記載の発明において、前記取着ループパイル部と前記機能ループパイル部とは材質が異なることを要旨とする。
【００１２】
上記構成によれば、取着ループパイル部を基材に対する取着性に特化した材質にするとともに、機能ループパイル部をブラシとしての機能性に特化した材質にすることで、ブラシの性能を向上することが可能となる。
【００１３】
請求項４に記載の発明は、請求項１〜請求項３のうちいずれか一項に記載の発明において、前記基材と前記取着ループパイル部とが同じ種類の合成樹脂材料で構成されていることを要旨とする。
【００１４】
上記構成によれば、基材上に取着ループパイル部を容易に熱溶着することが可能となる。
請求項５に記載の発明は、床面上の塵埃を吸い込むためのヘッド内に回転可能に収容された回転体と、該回転体に取着されるブラシとを備え、前記ヘッドが床面上を移動する際に、前記回転体を回転させながら前記ブラシを床面に接触させるように構成された電気掃除機用の回転ブラシ装置であって、前記ブラシは、請求項１〜請求項４のうちいずれか一項に記載のブラシによって構成されていることを要旨とする。
【００１５】
上記構成によれば、請求項１と同様の作用効果により、複数のループパイル部を有するブラシを、設計の自由度を高めつつ容易に製造することが可能となり、ひいては、電気掃除機用の回転ブラシ装置を、設計の自由度を高めつつ容易に製造することが可能となる。
【発明の効果】
【００１６】
本発明によれば、複数のループパイル部を有し、且つ設計の自由度が高くて製造が容易なブラシ及び電気掃除機用の回転ブラシ装置を提供することができる。
【発明を実施するための最良の形態】
【００１７】
以下、本発明を具体化した一実施形態を図面に基づいて説明する。
まず、回転ブラシ装置が配設される電気掃除機のヘッドの構成について説明する。
図１及び図２に示すように、電気掃除機のヘッド１１は、平面視略Ｔ字状のケース１２を備えている。ケース１２の後端部には接続パイプ１３の一端側が該ケース１２に対して回動可能に接続されており、接続パイプ１３の他端側は図示しない電気掃除機の本体部に接続されている。ケース１２の底壁における前端部には、長孔状の吸込口１４が左右方向に延びるように設けられている。
【００１８】
ケース１２の内底面上には四角枠状をなす仕切板１５が吸込口１４を囲むように立設されており、該仕切板１５の後端部中央にはエア吸引口１６が貫通するように形成されている。ケース１２の左内側面にはモータ軸受１７が設けられており、該モータ軸受１７にはケース１２内に設けられたモータ１８から延びるモータ軸１９の先端部が回転可能に支持されている。
【００１９】
仕切板１５の左右両側壁にはそれぞれ回転支持体２０が設けられており、該両回転支持体２０はケース１２の左右両内側面にそれぞれ設けられたブラシ軸受２１によりそれぞれ回転可能に支持されている。仕切板１５の内側には左右方向に延びる回転ブラシ装置２２が収容されており、該回転ブラシ装置２２の両端部は両回転支持体２０にそれぞれ支持されている。
【００２０】
また、左側の回転支持体２０とモータ軸１９の先端部に取着されたローラ１９ａとの間には、無端状のベルト２３が掛装されている。そして、モータ１８の駆動により、その回転が、モータ軸１９、ローラ１９ａ、ベルト２３、及び左側の回転支持体２０を介して回転ブラシ装置２２に伝達されるようになっている。そして、電気掃除機を使用する際には、仕切板１５の内側のエアがエア吸引口１６及び接続パイプ１３を介して電気掃除機の本体部内に吸引されるとともに、回転ブラシ装置２２が回転されることにより、床面Ｆ上の塵、埃、毛髪等の塵埃が掻き取られ、該塵埃がエアとともに吸込口１４から吸い込まれるようになっている。このとき、回転ブラシ装置２２は、電気掃除機のヘッド１１の前進を妨げない方向（図２の矢印で示す方向）に回転される。
【００２１】
次に、回転ブラシ装置２２の構成について詳述する。
図３及び図４に示すように、回転ブラシ装置２２は、断面視略Ｘ字状をなす棒状の金属よりなる回転体３１と、該回転体３１に取着される複数（本実施形態では４つ）のブラシ３２とを備えている。回転体３１は、４つの断面視略Ｔ字状をなす突条３１ａの基端部同士を、該各突条３１ａが互いに回転体３１の周方向に等間隔に配置されるように、互いに一体に連結し、さらにその全体にわたって周方向に約１８０度捻ることで形成されている。したがって、回転体３１の周面には各突条３１ａ間に螺旋状をなす４本の凹溝３３が形成されており、該各凹溝３３に各ブラシ３２がそれぞれ取着されるようになっている。そして、各凹溝３３の開口部３３ａは、各突条３１ａの先端部に備えられた突片３１ｂにより狭められている。
【００２２】
次に、ブラシ３２の構成について詳述する。
図５及び図６に示すように、ブラシ３２は、合成樹脂（本実施形態ではポリプロピレン）の成形品により構成された長尺帯状の基材４０と、該基材４０の長手方向に沿って延びるように該基材４０上に熱溶着された側面視略Ｕ字状をなす毛羽部４１とを備えている。毛羽部４１は、糸を複数のループ４２が連続して形成されるように帯状に編んでなるループパイル部４３を複数（本実施形態では３つ）並列に一体形成した編物を該各ループパイル部４３の並列方向と直交する方向に沿ってＵ字状に二つ折りにしてなるものである。この場合、各ループパイル部４３を構成するそれぞれの糸は互いに独立している。
【００２３】
毛羽部４１を構成する３つのループパイル部４３のうち、中央に位置しているものは基材４０上に熱溶着される取着ループパイル部４４とされ、該取着ループパイル部４４の両側に配置されているものはブラシとして機能する機能ループパイル部４５とされている。取着ループパイル部４４を構成する糸には、該取着ループパイル部４４の基材４０に対する熱溶着性を向上するべく基材４０と同じ材質であるポリプロピレン製の糸が用いられている。一方、機能ループパイル部４５を構成する糸にはポリアミド製の糸が用いられている。ポリアミド製の糸は、復元性、摺動性、及び耐摩耗性に優れているので、本用途に好適である。
【００２４】
また、基材４０上における該基材４０の短手方向の中央部には毛羽部４１を挟むように一対の凸条４０ａが基材４０の長手方向に沿って延設されており、該両凸条４０ａは基材４０上に毛羽部４１の取着ループパイル部４４を熱溶着する際の位置決め手段として機能するようになっている。なお、図４に示すように、基材４０の短手方向の幅は、回転体３１の凹溝３３内に挿入可能でかつ凹溝３３の開口部３３ａの幅よりも大きくなるように設定されている。
【００２５】
次に、回転体３１へのブラシ３２の取り付け方法について説明する。
図３及び図４に示すように、回転体３１へブラシ３２を取り付ける場合、毛羽部４１が凹溝３３の開口部３３ａから外側へ突出するように、回転体３１の端部から各凹溝３３内に各ブラシ３２の基材４０をそれぞれスライド挿入する。すると、基材４０は、適度な剛性と可撓性とを有しているため、各凹溝３３に沿ってそれぞれ螺旋状に捻れた状態で回転体３１に容易に挿着される。このとき、基材４０は、突片３１ｂによって強く係止されるため、凹溝３３の開口部３３ａからのブラシ３２の脱落が抑制される。
【００２６】
次に、ブラシ３２の製造方法について説明する。
図７に示すように、ブラシ３２を製造する場合には、まず、直線状に延びる、第１保持糸５１、第２保持糸５２、第３保持糸５３、及び第４保持糸５４を、所定間隔を置いて互いに平行となるように順次配置する。第２保持糸５２及び第３保持糸５３には、繊度が７８デシテックス／１７フィラメントのポリアミド製の糸と、繊度が３３５デシテックス／２４フィラメントで熱溶融性を有するポリアミド製の糸（熱溶融糸）とを撚ってなる撚糸
が用いられている。一方、第１保持糸５１及び第４保持糸５４には、熱溶融性を有さないポリアミド製の糸が用いられている。また、第１保持糸５１及び第２保持糸５２の間隔と、第３保持糸５３及び第４保持糸５４の間隔とは同じになるように設定されており、第２保持糸５２及び第３保持糸５３の間隔は第１保持糸５１及び第２保持糸５２の間隔よりも若干広くなるように設定されている。
【００２７】
続いて、第１保持糸５１及び第２保持糸５２間、第３保持糸５３及び第４保持糸５４間をそれぞれポリアミド製の糸によって各糸５１〜５４の延びる方向に沿って規則的に蛇行させてループ４２がほぼ等ピッチで連続して形成されるように帯状に編む。これと同時に、第２保持糸５２及び第３保持糸５３間をポリプロピレン製の糸によって各糸５１〜５４の延びる方向に沿って規則的に蛇行させてほぼ等ピッチでループ４２が連続して形成されるように帯状に編む。これにより、図７に示すような帯状の編物からなる毛羽部形成体５０が形成される。
【００２８】
毛羽部形成体５０において、第１保持糸５１及び第２保持糸５２間、第３保持糸５３及び第４保持糸５４間にそれぞれ帯状に編まれたポリアミド製の糸は毛羽部４１の機能ループパイル部４５となる機能ループパイル部形成部５５とされ、第２保持糸５２及び第３保持糸５３間に帯状に編まれたポリプロピレン製の糸は毛羽部４１の取着ループパイル部４４となる取着ループパイル部形成部５６とされている。
【００２９】
続いて、毛羽部形成体５０に対して、第２保持糸５２中及び第３保持糸５３中に含まれる熱溶融糸が溶融する程度の温度で熱をかけながらプレスを行う熱プレス加工を施すと、第２保持糸５２中及び第３保持糸５３中に含まれる熱溶融糸が溶融する。そして、熱プレス加工された後に自然冷却されると、溶融していた熱溶融糸がそれぞれ固化する。これにより、取着ループパイル部形成部５６と機能ループパイル部形成部５５とが融着されて強固に連結される。
【００３０】
続いて、図８に示すように、毛羽部形成体５０から第１保持糸５１及び第４保持糸５４をほどきながら除去する。そして、図８及び図９に示すように毛羽部形成体５０を短手方向に２等分する中央面Ｓに沿って毛羽部形成体５０を二つ折りにした状態（毛羽部形成体５０を毛羽部４１にした状態）で基材４０上の両凸条４０ａ間に熱溶着することで、図６に示したブラシ３２が得られる。この場合、取着ループパイル部４４を挟む２つの機能ループパイル部４５の基材４０からの高さは同じになっている。
【００３１】
次に、回転ブラシ装置２２の作用について説明する。
さて、電気掃除機を使用するときには、図２に示すように、まず、ヘッド１１を床面Ｆ上に載せる。この状態で電気掃除機を稼動させると、モータ１８が駆動されるとともに、仕切板１５の内側のエアがエア吸引口１６を通り、接続パイプ１３を介して図示しない電気掃除機の本体部内に吸引される。このとき、モータ１８の駆動に連動して回転ブラシ装置２２が左側から見て反時計回り（図２の矢印で示す方向）に回転されるとともに、該回転ブラシ装置２２のブラシ３２における各毛羽部４１の各機能ループパイル部４５が床面Ｆに摺接される。この各機能ループパイル部４５の床面Ｆへの摺接により、該床面Ｆ上の塵埃が掻き取られてエアとともに図示しない電気掃除機の本体部内に吸引される。このとき、各機能ループパイル部４５を構成する糸は多数のループ４２を形成しているため、床面Ｆをソフトに拭き取る。
【００３２】
以上詳述した実施形態によれば次のような効果が発揮される。
（１）毛羽部４１が糸を複数のループ４２が連続して形成されるように帯状に編んでなる３つのループパイル部４３を複数並列に一体形成してなるため、各ループパイル部４３を、縫製を行うことなく形成することができる。加えて、各ループパイル部４３を構成するそれぞれの糸は互いに独立しているため、各ループパイル部４３間で糸の材質やループ４２の大きさを自由に異ならせることができる。したがって、複数のループパイル部４３を有するブラシ３２を、設計の自由度を高めつつ容易に製造することができる。
【００３３】
（２）毛羽部４１は、取着ループパイル部４４の両側に１つずつの機能ループパイル部４５が配置された毛羽部形成体５０を短手方向（取着ループパイル部４４及び機能ループパイル部４５の並列方向）の中央で長手方向（取着ループパイル部４４及び機能ループパイル部４５の並列方向と直交する方向）に沿って二つ折りにしてなる。そして、この二つ折りにした状態の毛羽部４１の取着ループパイル部４４を基材４０上に熱溶着することで、基材４０上に毛羽部４１が立設されたブラシ３２が形成されている。このため、ブラシ３２は、２つの機能ループパイル部４５を床面Ｆに摺接するブラシとして同時に機能させることができる。すなわち、ブラシ３２は、２つの機能ループパイル部４５を床面Ｆに対して同時に摺接させることができる。
【００３４】
（３）ブラシ３２は、取着ループパイル部４４を構成する糸が基材４０と同じ材質のポリプロピレンからなり、床面Ｆに摺接する機能ループパイル部４５を構成する糸が復元性、摺動性、及び耐摩耗性に優れたポリアミドからなる。このため、取着ループパイル部４４の基材４０に対する熱溶着性を高めつつ、機能ループパイル部４５の床面Ｆ上に対する塵埃の掻き取り性能及び拭き取り性能を長期間維持することができる。すなわち、取着ループパイル部４４及び機能ループパイル部４５がそれぞれの機能に特化した材質からなっているため、ブラシ３２全体としての性能を向上することができ、ひいては電気掃除機用の回転ブラシ装置２２の性能を向上することができる。
【００３５】
（４）ブラシ３２は、基材４０と毛羽部４１の取着ループパイル部４４を構成する糸とが同じポリプロピレンからなるため、基材４０上に取着ループパイル部４４を容易に熱溶着することができる。
【００３６】
（変更例）
なお、上記実施形態は、次のように変更して具体化することも可能である。
・毛羽部４１の取着ループパイル部４４を構成する糸と基材４０とは必ずしも同じ合成樹脂材料で構成する必要はない。例えば、基材４０をポリアミド製のものにしてもよい。
【００３７】
・毛羽部４１において、取着ループパイル部４４を構成する糸と機能ループパイル部４５を構成する糸とを同じ合成樹脂材料で構成してもよい。例えば、取着ループパイル部４４を構成する糸をポリアミド製のものにしてもよい。
【００３８】
・毛羽部４１は、図１０に示すように、２つの機能ループパイル部４５のうちいずれか一方を省略してもよいし、あるいは、図１１〜図１３に示すように、機能ループパイル部４５を３つ以上にしてもよい。
【００３９】
・毛羽部４１は、機能ループパイル部４５が少なくとも１つ以上あれば、図１４に示すように、取着ループパイル部４４を２つ以上にしてもよい。
・毛羽部４１は、図１５に示すように、取着ループパイル部４４を各ループパイル部４３の並列方向における端部に配置して折り曲げることなく該取着ループパイル部４４を基材４０上に熱溶着してもよい。
【００４０】
・ブラシ３２は、基材４０上に毛羽部４１を接着剤や両面粘着テープ等によって取着するように構成してもよい。
・毛羽部４１は、短手方向の中央から少しずれた位置で取着ループパイル部４４を折り曲げた状態で基材４０上に熱溶着してもよい。このようにすれば、取着ループパイル部４４を挟む２つの機能ループパイル部４５の基材４０からの高さが異なるブラシ３２を得ることができる。すなわち、取着ループパイル部４４を挟む２つの機能ループパイル部４５間に段差を設けることができる。
【００４１】
・毛羽部４１は、第１保持糸５１及び第４保持糸５４のうち少なくとも一方を残した状態で基材４０上に熱溶着してもよい。すなわち、毛羽部４１を形成するための毛羽部形成体５０から第１保持糸５１及び第４保持糸５４のうち少なくとも一方を除去しないようにしてもよい。
【００４２】
・両機能ループパイル部４５間で、材質を異ならせるようにしてもよい。例えば、一方の機能ループパイル部４５を構成する糸をポリプロピレン製のものにするとともに、他方の機能ループパイル部４５を構成する糸をポリアミド製のものにしてもよい。
【００４３】
・両機能ループパイル部４５を構成する糸の材質を、フッ素系樹脂、ポリフェニレンサルファイド（ＰＰＳ）、ポリアセタール（ＰＯＭ）などにしてもよい。これらの合成樹脂は一般に熱溶着が不可能とされているが、熱溶着しない両機能ループパイル部４５を構成する糸の構成材料としては用いることができる。すなわち、両機能ループパイル部４５を構成する糸の材質に熱溶着性を考慮する必要がない。
【００４４】
・取着ループパイル部４４のループ４２及び両機能ループパイル部４５のループ４２は、適宜大きさを変更してもよい。例えば、取着ループパイル部４４のループ４２を機能ループパイル部４５のループ４２よりも小さくしてもよい。あるいは、両機能ループパイル部４５のループ４２間でループ４２の大きさを異ならせるようにしてもよい。
【００４５】
・毛羽部４１の立設方向における両機能ループパイル部４５のループ４２の長さは、摺接する床面Ｆ（例えば、フローリングやカーペット）に合わせて適宜変更してもよい。
・取着ループパイル部４４を構成する糸及び両機能ループパイル部４５を構成する糸は、色を適宜変更してもよい。例えば、取着ループパイル部４４を構成する糸を黒色にするとともに、両機能ループパイル部４５を構成する糸を青色にしてもよい。このようにすれば、ブラシ３２の意匠性を向上させることができる。
【００４６】
・取着ループパイル部４４を構成する糸及び両機能ループパイル部４５を構成する糸は、太さを適宜変更してもよい。例えば、両機能ループパイル部４５を構成する糸を取着ループパイル部４４を構成する糸よりも太くしてもよい。あるいは、両機能ループパイル部４５の糸間で糸の太さを異ならせるようにしてもよい。
【００４７】
・取着ループパイル部４４を構成する糸及び両機能ループパイル部４５を構成する糸には、複数の異なる材質のフィラメントが混ざったマルチフィラメント糸を用いてもよい。
・ブラシ３２は、電気掃除機の回転ブラシ装置２２以外の用途、例えば、テレビや棚などの埃を払うためのブラシ、あるいはモップとして使用してもよい。
【図面の簡単な説明】
【００４８】
【図１】実施形態における電気掃除機のヘッドを示す平断面図。
【図２】実施形態における電気掃除機のヘッドの使用状態を示す側断面図。
【図３】実施形態における電気掃除機の回転ブラシ装置を示す斜視図。
【図４】図３の側面拡大図。
【図５】実施形態におけるブラシの斜視図。
【図６】図５の側面拡大図。
【図７】実施形態における毛羽部形成体の平面図。
【図８】実施形態における毛羽部形成体から第１保持糸及び第４保持糸を除去したときの状態を示す平面図。
【図９】実施形態において基材に毛羽部を熱溶着するときの状態を示す側面図。
【図１０】変更例のブラシを示す側面図。
【図１１】変更例のブラシを示す側面図。
【図１２】変更例のブラシを示す側面図。
【図１３】変更例のブラシを示す側面図。
【図１４】変更例のブラシを示す側面図。
【図１５】変更例のブラシを示す側面図。
【符号の説明】
【００４９】
１１…電気掃除機のヘッド、２２…回転ブラシ装置、３１…回転体、３２…ブラシ、４０…基材、４１…毛羽部、４２…ループ、４３…ループパイル部、４４…取着ループパイル部、４５…機能ループパイル部、Ｆ…床面。
【図１】
2010051711.tif 000003
【図２】
2010051711.tif 000004
【図３】
2010051711.tif 000005
【図４】
2010051711.tif 000006
【図５】
2010051711.tif 000007
【図６】
2010051711.tif 000008
【図７】
2010051711.tif 000009
【図８】
2010051711.tif 000010
【図９】
2010051711.tif 000011
【図１０】
2010051711.tif 000012
【図１１】
2010051711.tif 000013
【図１２】
2010051711.tif 000014
【図１３】
2010051711.tif 000015
【図１４】
2010051711.tif 000016
【図１５】
2010051711.tif 000017